(57)【要約】【課題】遊技制御装置の運搬の適切化を図る。【解決手段】段ボール紙から立方体に構成された外箱１の底部２が封緘具で封緘され、外箱１の蓋片４乃至７が上方に開けられ状態において、段ボール紙からなる仕切構造体１１が外箱１に入れられて外箱１の中に収容室１２および緩衝空間１３が区画され、遊技制御ユニット１１４が収容室１２に１個ずつ入れられた後、仕切構造体１１における一対の支持片１４が内側に折り曲げられて遊技制御ユニット１１４を複数の収容室１２に１個ずつ移動しないように固定した後、外箱１の蓋片４乃至７が閉じられて封緘具で封緘され、遊技制御ユニット１１４を収納した仕切構造体１１および外箱１からなる遊技制御梱包装置がトラックの荷台に搭載されて運搬されても、運搬中の振動によって、遊技制御ユニット１１４が仕切構造体１１や外箱１に衝突するような不都合が解消される。【選択図】図１
2007001592.tif 000002
【特許請求の範囲】
【請求項１】
段ボール紙からなる仕切構造体が段ボール紙から立方体に構成された外箱に入れられて、遊技制御ユニットを収容し得る大きさの収容室および収容室を囲む緩衝空間が外箱の中に区画された構造であって、仕切構造体は第１仕切要素と第２仕切要素とを備え、第１仕切要素は相対峙する一対の縦片が背片で互いに繋がれたコ字形であって、第１仕切要素の一対の縦片には縦片の相対峙する方向と直交する方向に緩衝空間用片と組立用溝と収容室用片および緩衝空間用片が順に形成され、第１仕切要素の組立用溝は一対の縦片の上端面と外面と内面とに開口しかつ上端面から背片の側に向かうように内部に延びる細長い形状に形成され、第２仕切要素は相対峙する一対の縦片が背片で互いに繋がれたコ字形であって、第２仕切要素の一対の縦片には縦片の相対峙する方向と直交する方向に組立用溝が緩衝空間用片と収容室用片および緩衝空間用片を順に形成され、第２仕切要素の背片には第２仕切要素の相対峙する一対の縦片の組立用溝に繋がる組立用溝が形成され、第２仕切要素の背片には突起が背片から背片の外側に突出して設けられ、第１仕切要素の一対の縦片の相対峙する方向と第２仕切要素の一対の縦片の相対峙する方向とが互いに直交するようにかつ第２仕切要素の背片が第１仕切要素の一対の縦片の上方に向き合わされ、第１仕切要素の組立用溝と第２仕切要素の組立用溝とが互いに嵌め合わされ、第２仕切要素の一対の縦片の間には第１仕切要素の一対の収容室用片が挟まれ、第１仕切要素の一対の縦片の間には第２仕切要素の一対の収容室用片が挟まれ、第２仕切要素の突起の下端面が第１仕切要素の背片の上面に接触して重ね合わされ、第１仕切要素の背片１７と第２仕切要素の背片とが互いに上下に離れて向かい合って上記収容室が形成されたことを特徴とする遊技制御梱包装置。
【発明の詳細な説明】
【技術分野】
【０００１】
本発明は、遊技制御装置を適切に運搬可能な遊技制御梱包装置に関する。
【背景技術】
【０００２】
パチンコ遊技機やスロットマシンなどの遊技機は、風俗営業などの規則および業務の適正化に関する法律の下、国民に身近で健全な大衆娯楽を提供する営業を営むために遊技店に設置されて使用されるが、例えば、単一の資本形態の中で複数の遊技店がチェーン店化されたグループを形成し、その単一のグループ内の或る１つの所在地に存在する遊技店で使用許可を受けて使用されていた遊技機を、当該或る１つの所在地に存在する遊技店から単一のグループ内の別の１つの所在地に存在する遊技店に移転することがある。このような設置替えを行う場合、主制御装置や払出制御装置などと呼ばれる金銭に関連する遊技の制御処理を行う遊技制御装置を、移転元の遊技店で設置換えの対象となっている遊技機から取り外して当該設置換えの対象となっている遊技機を製造した遊技機製造会社に運搬し、遊技機製造会社で遊技制御装置を適正に動作するか否かを検証し、適正に動作することの検証された遊技制御装置を遊技機製造会社から移転先の遊技店に運搬するように、規則で定められている。このようなことから、遊技制御装置を、移転元の遊技店から遊技機製造会社に運搬したり、遊技機製造会社から移転先の遊技店に運搬したりする場合、複数の遊技制御装置を形の不揃いな外箱に投入し、当該外箱をトラックの荷台に搭載して運搬することが考えられる。しかしながら、外箱に投入された遊技制御装置どうしが衝突して互いに損傷を受けるうえ、１台のトラックで運搬できる数量が少ないという欠点がある。
【特許文献１】特開平２００３−２４６３１７号公報
【発明の開示】
【発明が解決しようとする課題】
【０００３】
発明が解決しようとする問題点は、遊技制御装置が損傷したり、１度に運搬できる数量が少なかったりという点である。
【課題を解決するための手段】
【０００４】
本発明に係る遊技制御梱包装置は、段ボール紙からなる仕切構造体が段ボール紙から立方体に構成された外箱に入れられて、遊技制御ユニットを収容し得る大きさの収容室および収容室を囲む緩衝空間が外箱の中に区画された構造であって、仕切構造体は第１仕切要素と第２仕切要素とを備え、第１仕切要素は相対峙する一対の縦片が背片で互いに繋がれたコ字形であって、第１仕切要素の一対の縦片には縦片の相対峙する方向と直交する方向に緩衝空間用片と組立用溝と収容室用片および緩衝空間用片が順に形成され、第１仕切要素の組立用溝は一対の縦片の上端面と外面と内面とに開口しかつ上端面から背片の側に向かうように内部に延びる細長い形状に形成され、第２仕切要素は相対峙する一対の縦片が背片で互いに繋がれたコ字形であって、第２仕切要素の一対の縦片には縦片の相対峙する方向と直交する方向に組立用溝が緩衝空間用片と収容室用片および緩衝空間用片を順に形成され、第２仕切要素の背片には第２仕切要素の相対峙する一対の縦片の組立用溝に繋がる組立用溝が形成され、第２仕切要素の背片には突起が背片から背片の外側に突出して設けられ、第１仕切要素の一対の縦片の相対峙する方向と第２仕切要素の一対の縦片の相対峙する方向とが互いに直交するようにかつ第２仕切要素の背片が第１仕切要素の一対の縦片の上方に向き合わされ、第１仕切要素の組立用溝と第２仕切要素の組立用溝とが互いに嵌め合わされ、第２仕切要素の一対の縦片の間には第１仕切要素の一対の収容室用片が挟まれ、第１仕切要素の一対の縦片の間には第２仕切要素の一対の収容室用片が挟まれ、第２仕切要素の突起の下端面が第１仕切要素の背片の上面に接触して重ね合わされ、第１仕切要素の背片と第２仕切要素の背片とが互いに上下に離れて向かい合って上記収容室が形成されたことを最も主要な特徴とする。
【発明の効果】
【０００５】
本発明に係る遊技制御梱包装置は、外箱の底部が封緘され、外箱の蓋片が上方に開けられた状態において、仕切構造体が外箱に入れられることによって外箱の中に収容室および緩衝空間が区画され、遊技制御ユニットが収容室に入れられ、仕切構造体の一対の支持片が人によって内側に折り曲げられて遊技制御ユニットを収容室に移動しないように固定した後、外箱の蓋片が閉じられて封緘されるので、遊技制御ユニットを収納した仕切構造体および外箱からなる遊技制御梱包装置がトラックの荷台に搭載されて運搬された場合においても、運搬中の振動によって、遊技制御ユニットが仕切構造体や外箱に衝突するような不都合が解消されるという利点がある。
【発明を実施するための最良の形態】
【０００６】
図１乃至図１０は、発明を実施するための最良の形態である。図１は、遊技制御梱包装置を分解して示す。図２のａ図は、第１仕切要素１５の展開形状を示す。図２のｂ図は、第１仕切要素１５の立体形状を示す。図３のａ図は、第２仕切要素６０の展開形状を示す。図３のｂ図は、第２仕切要素６０の立体形状を示す。図４は、仕切構造体１１の組立方を示す。図５は、外箱１の蓋片４乃至７の開けられた遊技制御梱包装置の平面を示す。図６は、図５をＡ−Ａ線に沿い切断した断面を示す。図７は、図５をＢ−Ｂ線に沿い切断した断面を示す。図８はスロットマシンを示す。図９は、遊技制御ユニット１１４を分解して示す。図１０のａ図は、遊技制御ユニット１１４を収容室１２に挿入した側面を示す。図１０のｂ図は、遊技制御ユニット１１４を収容室１２に固定した側面を示す。図１０のｃ図は、遊技制御ユニット１１４を収容室１２に固定した平面を示す。
【０００７】
図１を参照し、遊技制御梱包装置の構造について説明する。遊技制御梱包装置は、段ボール紙から立方体に構成された外箱１の底部２が紙製または布製の粘着テープのような封緘具３で封緘され、外箱１の４つの蓋片４；５；６；７が上方に開けられた状態において、段ボール紙からなる仕切構造体１１が外箱１に入れられることによって外箱１の中に収容室１２および緩衝空間１３を複数区画した、構造である。収容室１２は、運搬対象物である遊技制御ユニット１１４を収容し得る大きさであって、上方に開口し、底部および周囲が囲まれた格好である。緩衝空間１３は、複数の収容室１２を１個ずつ囲む形態である。そして、複数の遊技制御ユニット１１４が複数の収容室１２に１個ずつ入れられた後、仕切構造体１１における一対の支持片１４が人によって内側に折り曲げられて遊技制御ユニット１１４を複数の収容室１２に１個ずつ移動しないように固定する。その後、外箱１の４つの蓋片４乃至７が閉じられて紙製または布製の粘着テープのような図外の封緘具で封緘される。仕切構造体１１は、図２の第１仕切要素１５と図３の第２仕切要素６０とが井桁状に組み合わせられて構成される。
【０００８】
図２を参照し、第１仕切要素１５の構造について説明する。図２のａ図において、第１仕切要素１５は、縦片１６と背片１７および縦片１８が左側から右側へと横一列に連接された形態であって、ロール状に巻かれた長尺な段ボール紙から長方形状に切断されて材料取りされ、２つの縦片１６；１８に組立用溝１９；２０；２１；２２；２３；２４；２５；２６；２７；２８；２９；３０が形成され、折線３１；３２が付けられた形態である。第１仕切要素１５を構成する段ボール紙の波心は、第１仕切要素１５における縦片１６と背片１７および縦片１６の連なる方向である左右方向Ｘに延びる条を形成する。組立用溝１９乃至２４は、縦片１６の上端面と外面と内面とに開口し、縦片１６の上端面から背片１７の側に向かうように内部に延びる細長い形状に形成される。縦片１６の上端面は、第１仕切要素１５が図２のｂ図のように立体的に形成され、背片１７を下側に位置させ、縦片１６を上側に位置させた場合に、最上端に位置する端面である。縦片１６の外面は、第１仕切要素１５が図２のｂ図のように立体的に形成された場合、縦片１８と向かい合う側の反対側に位置する面である。縦片１６の内面は、第１仕切要素１５が図２のｂ図のように立体的に形成された場合、縦片１８と向かい合う側の面である。組立用溝１９乃至２４が縦片１６に形成されることによって、縦片１６には、収容室用片３３；３４；３５および緩衝空間用片３９；４０；４１；４２が、第１仕切要素１５の直交方向Ｙの一端から他端に向けて順に交互に１個ずつ形成される。第１仕切要素１５において、直交方向Ｙは、左右方向Ｘと第１仕切要素１５の表面に沿って直交する方向である。
【０００９】
組立用溝２５乃至３０は、縦片１８の上端面と外面と内面とに開口し、縦片１８の外側端面から背片１７の側に向かうように内部に延びる細長い形状に形成される。縦片１８の上端面は、第１仕切要素１５が図２のｂ図のように立体的に形成され、背片１７を下側に位置させ、縦片１８を上側に位置させた場合に、最上端に位置する端面である。縦片１８の外面は、第１仕切要素１５が図２のｂ図のように立体的に形成された場合、縦片１６と向かい合う側の反対側に位置する面である。縦片１８の内面は、第１仕切要素１５が図２のｂ図のように立体的に形成された場合、縦片１６と向かい合う側の面である。組立用溝２５乃至３０が縦片１８に形成されることによって、縦片１８には、収容室用片３６；３７；３８および緩衝空間用片４３；４４；４５；４６が、第１仕切要素１５の直交方Ｙの一端から他端に向けて順に交互に１個ずつ形成される。収容室用片３３乃至３８における直交方向Ｙの寸法である横幅Ｔ１は、緩衝空間用片３９乃至４６における直交方向Ｙの寸法である横幅Ｔ２よりも大きい（Ｔ１＞Ｔ２）。収容室用片３３乃至３８の外端部には、支持片４７；４８；４９；５０；５１；５２が、折線５３；５４；５５；５６；５７；５８によって個別に区分される。組立用溝１９乃至３０の直交方向Ｙの幅は、図３の第２仕切要素６０の縦片６１；６３を嵌め込むことによって挟むように支持する寸法に設定される。
【００１０】
図２のａ図に示す展開形状に形成された第１仕切要素１５は、１つの縦片１６が折線３１で内側に折り曲げられ、もう１つの縦片１８が折線３２で内側に折り曲げられるというように、一対の縦片１６；１８が折線３１；３２で同じ方向に折り曲げられる。これによって、第１仕切要素１５は、図２のｂ図に示すように、相対峙する一対の縦片１６；１８が背片１７で互いに繋がれたコ字形に構成される。図２のｂ図において、２つの縦片１６；１８が相対峙する寸法Ｔ３は、図１に示す遊技制御ユニット１１４の１つの横幅Ｗ１よりも大きい。収容室用片３３；３６、収容室用片３４；３７；収容室用片３５；３８、緩衝空間用片３９；４３、緩衝空間用片４０；４４、緩衝空間用片４１；４５、緩衝空間用片４２；４６、組立用溝１９；２５、組立用溝２０；２６、組立用溝２１；２７、組立用溝２２；２８、組立用溝２３；２９、組立用溝２４；３０、支持片４７；５０、支持片４８；５１、支持片４９；５２が、相対峙して対を構成する。支持片４７；５０、支持片４８；５１、支持片４９；５２が、図１に示す一対の支持片１４をそれぞれ構成する。
【００１１】
図３を参照し第２仕切要素６０の構造について説明する。図３のａ図において、第２仕切要素６０は、縦片６１と背片６２および縦片６３が左側から右側へと横一列に連接された形態であって、ロール状に巻かれた長尺な段ボール紙から長方形状に切断されて材料取りされ、２つの縦片６１；６３と背片６２とにわたり組立用溝６４；６５；６６；６７が形成され、１つの縦片６１に位置決め部を構成する位置決め用溝６８；６９が形成され、折線７０；７１が付けられた形態である。第２仕切要素６０を構成する段ボール紙の波心は、第２仕切要素６０における縦片６１と背片６２および縦片６３の連なる方向である左右方向Ｘに延びる条を形成する。組立用溝６４乃至６７は、２つの縦片６１；６３の外面および内面と背片６２の外面および内面とに貫通し、背片６２から２つの縦片６１；６３に伸びる細長い形状に形成される。縦片６１の外面は、第２仕切要素６０が図３のｂ図のように立体的に形成された場合、縦片６３と向かい合う側の反対側に位置する面である。縦片６１の内面は、第２仕切要素６０が図３のｂ図のように立体的に形成された場合、縦片６３と向かい合う側の面である。縦片６３の外面は、第２仕切要素６０が図３のｂ図のように立体的に形成された場合、縦片６１と向かい合う側の反対側に位置する面である。縦片６３の内面は、第２仕切要素６０が図３のｂ図のように立体的に形成された場合、縦片６１と向かい合う側の面である。背片６２の外面は、第２仕切要素６０が図３のｂ図のように立体的に形成された場合、縦片６１；６３の側の反対側に位置する面である。背片６２の内面は、第２仕切要素６０が図３のｂ図のように立体的に形成された場合、縦片６１；６３の側に位置する面である。
【００１２】
組立用溝６４乃至６７における背片６２の部分の直交方向Ｙの幅は、組立用溝６４乃至６７における縦片６１；６３の部分の直交方向Ｙの幅よりも広い。組立用溝６４乃至６７における縦片６１；６３の部分の直交方向Ｙの幅は、図２の第１仕切要素１５の縦片１６；１８を嵌め込むことによって挟むように支持する寸法に設定される。第２仕切要素６０において、直交方向Ｙは、左右方向Ｘと第２仕切要素６０の表面に沿って直交する方向である。組立用溝６４乃至６７が形成されることによって、縦片６１には、収容室用片７２；７３および緩衝空間用片７６；７７；７８が、第２仕切要素６０の直交方向Ｙの一端から他端に向けて順に交互に１個ずつ形成され、縦片６３には、収容室用片７４；７５および緩衝空間用片７９；８０；８１が、第２仕切要素６０の直交方向Ｙの一端から他端に向けて順に交互に１個ずつ形成される。収容室用片７２乃至７５における直交方向Ｙの寸法である横幅Ｔ４は、緩衝空間用片７６乃至８１における直交方向Ｙの寸法である横幅Ｔ５よりも大きい（Ｔ４＞Ｔ５）。
【００１３】
収容室用片７２と背片６２との間における折線７０の中間部、収容室用片７３と背片６２との間における折線７０の中間部には、突起用切込８２；８３が折線７０から背片６２の側のＸ方向に伸びた後に直交方向Ｙに伸びてさらに折線７０に向かうように形成される。位置決め用溝６８が収容室用片７２に対し１個形成され、位置決め用溝６９が収容室用片７３に対し１個形成されるというように、位置決め用溝６８；６９が左側の２つ収容室用片７２；７３に対し１個ずつ形成される。図３のａ図に示す展開形状に形成された第２仕切要素６０は、１つの縦片６１が折線７０で内側に折り曲げられ、もう１つの縦片６３が折線７１で内側に折り曲げられるというように、一対の縦片６１；６２が折線７０；７１で同じ方向に折り曲げられる。これによって、第２仕切要素６０は、図３のｂ図およびｃ図に示すように、相対峙する一対の縦片６１；６３が背片６２で互いに繋がれたコ字形であって、突起８４；８５が図３のａ図の突起用切込８２；８３で背片１７よりも裏側に突出した態様に構成される。突起８４；８５の直交方向Ｙの横幅は、図９に示す制御取付構造体１２２における取付部１４０の横幅Ｗ３よりも小さい。１つの横幅Ｗ２よりも図３のｂ図において、２つの縦片１６が相対峙する寸法Ｔ６は、図１に示す遊技制御ユニット１１４の１つの横幅Ｗ２よりも大きい。
【００１４】
図４を参照し、仕切構造体１１の構造について説明する。仕切構造体１１は、図２のｂ図に示す形状の２個の第１仕切要素１５と、図３のｂ図に示す形状の３個の第２仕切要素６０とが井桁状に組み合わせられることによって、複数の収容室１２および複数の緩衝空間１３を備えた立方体に構成される。具体的には、１個の第１仕切要素１５における縦片１６の外側面ともう１個の第１仕切要素１５における縦片１８の外側面とが互いに向き合わせられ、１個の第１仕切要素１５の背片１７ともう１個の第１仕切要素１５の背片１７とが互いに１つの仮想した水平線Ｌ７の上に位置するように、２個の第１仕切要素１５が互いに並列に配置される。そして、１個の第２仕切要素６０における２つの縦片６１；６３の相対峙する方向に延びる仮想した水平線Ｌ８の方向が２個の第１仕切要素１５の並べられた水平線Ｌ７の方向と直交する方向に向けられ、１個の第１仕切要素１５における背片１７が２個の第１仕切要素１５の方向に向けられるように、１個の第２仕切要素６０が図４の紙面の右側の手前側で２個の第１仕切要素１５の上に配置される。
【００１５】
次に、図４における右側に位置する１個の第２仕切要素６０における最も左側に位置する組立用溝６４と左側に位置する１個の第１仕切要素１５における２つの組立用溝１９；２０とが互いに嵌め合わされ、右側に位置する１個の第２仕切要素６０における中央左側に位置する組立用溝６５と左側に位置する１個の第１仕切要素１５における２つの組立用溝２５；２６とが互いに嵌め合わされ、右側に位置する１個の第２仕切要素６０における２つの縦片６１；６３の間には左側に位置する１個の第１仕切要素１５における２つの収容室用片３３；３６が挟まれ、左側に位置する１個の第１仕切要素１５における２つの縦片１６；１８の間には右側に位置する１個の第２仕切要素６０における収容室用片７２；７４が挟まれ、右側に位置する１個の第２仕切要素６０における突起８４（図３のｃ図参照）の下端面が左側に位置する１個の第１仕切要素１５における背片１７の上面に接触して重ね合わされ、右側に位置する１個の第２仕切要素６０における背片６２と左側に位置する１個の第１仕切要素１５における背片１７とが互いに上下に離れて向かい合う。これによって、図１に示す仕切構造体１１における１つ目の収容室１２が形成される。
【００１６】
また、右側に位置する１個の第２仕切要素６０における中央右側に位置する組立用溝６６と右側に位置する１個の第１仕切要素１５における２つの組立用溝１９；２０とが互いに嵌め合わされ、右側に位置する１個の第２仕切要素６０における最も右側に位置する組立用溝６７と右側に位置する１個の第１仕切要素１５における２つの組立用溝２５；２６とが互いに嵌め合わされ、右側に位置する１個の第２仕切要素６０における２つの縦片６１；６３の間には右側に位置する１個の第１仕切要素１５における２つの収容室用片３３；３６が挟まれ、右側に位置する１個の第１仕切要素１５における２つの縦片１６；１８の間には右側に位置する１個の第２仕切要素６０における収容室用片７３；７５が挟まれ、右側に位置する１個の第２仕切要素６０における突起８５（図３のｃ図参照）の下端面が右側に位置する１個の第１仕切要素１５における背片１７の上面に接触して重ね合わされ、右側に位置する１個の第２仕切要素６０における背片６２と右側に位置する１個の第１仕切要素１５における背片１７とが互いに上下に離れて向かい合う。これによって、図１に示す仕切構造体１１における２つ目の収容室１２が形成される。
【００１７】
そして、図４における中央に位置する１個の第２仕切要素６０における最も左側に位置する組立用溝６４と左側に位置する１個の第１仕切要素１５における２つの組立用溝２１；２２とが互いに嵌め合わされ、中央に位置する１個の第２仕切要素６０における中央左側に位置する組立用溝６５と左側に位置する１個の第１仕切要素１５における２つの組立用溝２７；２８とが互いに嵌め合わされ、中央に位置する１個の第２仕切要素６０における２つの縦片６１；６３の間には左側に位置する１個の第１仕切要素１５における２つの収容室用片３４；３７が挟まれ、左側に位置する１個の第１仕切要素１５における２つの縦片１６；１８の間には中央に位置する１個の第２仕切要素６０における収容室用片７２；７４が挟まれ、中央に位置する１個の第２仕切要素６０における突起８４（図３のｃ図参照）の下端面が左側に位置する１個の第１仕切要素１５における背片１７の上面に接触して重ね合わされ、中央に位置する１個の第２仕切要素６０における背片６２と左側に位置する１個の第１仕切要素１５における背片１７とが互いに上下に離れて向かい合う。これによって、図１に示す仕切構造体１１における３つ目の収容室１２が形成される。
【００１８】
また、中央に位置する１個の第２仕切要素６０における中央右側に位置する組立用溝６６と右側に位置する１個の第１仕切要素１５における２つの組立用溝２１；２２とが互いに嵌め合わされ、中央に位置する１個の第２仕切要素６０における最も右側に位置する組立用溝６７と右側に位置する１個の第１仕切要素１５における２つの組立用溝２７；２８とが互いに嵌め合わされ、中央に位置する１個の第２仕切要素６０における２つの縦片６１；６３の間には右側に位置する１個の第１仕切要素１５における２つの収容室用片３３；３７が挟まれ、右側に位置する１個の第１仕切要素１５における２つの縦片１６；１８の間には中央に位置する１個の第２仕切要素６０における収容室用片７３；７５が挟まれ、中央に位置する１個の第２仕切要素６０における突起８５（図３のｃ図参照）の下端面が右側に位置する１個の第１仕切要素１５における背片１７の上面に接触して重ね合わされ、中央に位置する１個の第２仕切要素６０における背片６２と右側に位置する１個の第１仕切要素１５における背片１７とが互いに上下に離れて向かい合う。これによって、図１に示す仕切構造体１１における４つ目の収容室１２が形成される。
【００１９】
最後に、図４における左側に位置する１個の第２仕切要素６０における最も左側に位置する組立用溝６４と左側に位置する１個の第１仕切要素１５における２つの組立用溝２３：２４とが互いに嵌め合わされ、左側に位置する１個の第２仕切要素６０における中央左側に位置する組立用溝６５と左側に位置する１個の第１仕切要素１５における２つの組立用溝２９；３０とが互いに嵌め合わされ、左側に位置する１個の第２仕切要素６０における２つの縦片６１；６３の間には左側に位置する１個の第１仕切要素１５における２つの収容室用片３５；３８が挟まれ、左側に位置する１個の第１仕切要素１５における２つの縦片１６；１８の間には左側に位置する１個の第２仕切要素６０における収容室用片７２；７４が挟まれ、左側に位置する１個の第２仕切要素６０における突起８４（図３のｃ図参照）の下端面が左側に位置する１個の第１仕切要素１５における背片１７の上面に接触して重ね合わされ、左側に位置する１個の第２仕切要素６０における背片６２と左側に位置する１個の第１仕切要素１５における背片１７とが互いに上下に離れて向かい合う。これによって、図１に示す仕切構造体１１における５つ目の収容室１２が形成される。
【００２０】
また、左側に位置する１個の第２仕切要素６０における中央右側に位置する組立用溝６６と右側に位置する１個の第１仕切要素１５における２つの組立用溝２３；２４とが互いに嵌め合わされ、左側に位置する１個の第２仕切要素６０における最も右側に位置する組立用溝６７と右側に位置する１個の第１仕切要素１５における２つの組立用溝２９；３０とが互いに嵌め合わされ、左側に位置する１個の第２仕切要素６０における２つの縦片６１；６３の間には右側に位置する１個の第１仕切要素１５における２つの収容室用片３５；３８が挟まれ、右側に位置する１個の第１仕切要素１５における２つの縦片１６；１８の間には左側に位置する１個の第２仕切要素６０における収容室用片７３；７５が挟まれ、左側に位置する１個の第２仕切要素６０における突起８５（図３のｃ図参照）の下端面が右側に位置する１個の第１仕切要素１５における背片１７の上面に接触して重ね合わされ、左側に位置する１個の第２仕切要素６０における背片６２と右側に位置する１個の第１仕切要素１５における背片１７とが互いに上下に離れて向かい合う。これによって、図１に示す仕切構造体１１における６つ目の収容室１２が形成される。以上によって、仕切構造体１１が２個の第１仕切要素１５と３個の第２仕切要素６０とから図１に示す形状に構成される。
【００２１】
図５を参照し、仕切構造体１１が外箱１に収容された上方から見た平面的な態様について説明する。網がけを施した部分が緩衝空間１３であり、それ以外の空間が６個の収容室１２である。収容室１２のそれぞれは、周囲を８個に区分された緩衝空間１３で囲まれる。よって、６個の遊技制御ユニット１１４が仮想線で示すように収容室１２に１個ずつ収納されることによって、遊技制御ユニット１１４どうしは緩衝空間１３で囲まれる。したがって、外力が外箱１の外側から外箱１に加えられても、当該外力が緩衝空間１３で負担され遊技制御ユニット１１４に直接的に作用せず、遊技制御ユニット１１４が適切に保護される。
【００２２】
図６および図７を参照し、仕切構造体１１が外箱１に収容された側方から見た態様について説明する。図６および図７において、仕切構造体１１の背片１７が外箱１の底部２の上に接触して重ね合わされ、収容室１２のそれぞれは周囲を緩衝空間１３で囲まれる。よって、遊技制御ユニット１１４が仮想線で示すように収容室１２に１個ずつ収納されることによって、遊技制御ユニット１１４どうしは緩衝空間１３で囲まれる。したがって、外力が外箱１の外側から外箱１に加えられても、当該外力が緩衝空間１３で負担され遊技制御ユニット１１４に直接的に作用せず、遊技制御ユニット１１４が適切に保護される。
【００２３】
図８を参照し、遊技制御ユニット１１４の取り付けられたスロットマシンの構造について説明する。スロットマシンの機構筐体と呼ばれる遊技機骨格構造体１０１は、前側にだけ開口した四角な箱形の形状である。遊技機骨格構造体１０１の左右側壁には、取手部１０２が遊技機骨格構造体１０１を運搬する場合に手を掛けるための孔として設けられる。遊技機骨格構造体１０１の前側には、前扉１０３が、左側に位置するヒンジ１０４を中心として前側に開かれかつ後側に閉じられるように片開き可能に、設けられる。前扉１０３の右側部には、係合部１０５が設けられる。店員が遊技機骨格構造体１０１の前側に開けられている前扉１０３を矢印Ｘ２の方向に押して閉じた場合、係合部１０５が遊技機骨格構造体１０１の図外の掛止部に係合して前扉１０３を開閉不能に支持する。その状態において、店員が図外の施錠装置に図外の鍵を挿入して施錠装置を操作すると、係合部１０５が掛止部から解除される。そして、店員が前扉１０３を矢印Ｘ１で示す前側に引くと、前扉１０３が開放される。前扉１０３には、図柄表示部１０６、操作台１０７、受皿１０８が、上から下に順に設けられる。図柄表示部１０６は、図柄表示部１０６の裏側に配置された図柄表示装置１０９の図柄を遊技者に見せる光透過性合成樹脂により形成される。図柄表示装置１０９は、遊技機骨格構造体１０１の内部または前扉１０３の内面に取り付けられる。操作台１０７は、遊技者により操作される部品を集中的に設けるものである。操作台１０７に設けられる遊技者により操作される部品は、掛数操作部、精算操作部、最大掛数操作部、メダル投入部、遊技開始操作部、３個の図柄停止操作部、返却操作部などである。受皿１０８は、遊技媒体としてのメダルを受ける部分である。
【００２４】
遊技機骨格構造体１０１の内部空間には、図柄表示装置１０９、棚１１０、電源装置１１１、ホッパー１１２、予備箱１１３、遊技制御ユニット１１４が設けられる。図柄表示装置１０９は、棚１１０の上に装着される。棚１１０は、遊技機骨格構造体１０１の内部空間を上下に分けるように遊技機骨格構造体１０１に固定される。電源装置１１１およびホッパー１１２は、遊技機骨格構造体１０１の底部の上に装着される。電源装置１１１は、スロットマシンに設けられた電気部品に電力を供給する。ホッパー１１２は、当たりの結果の賞として払い出すメダルを貯蔵するものであって、メダル投入部から投入されたメダルを貯蔵し、メダルを払い出すための図外の払出機を内蔵する。払出機により払い出されたメダルは、ホッパー１１２に形成された払出口１１５から前扉１０３の裏面に設けられた受口１１６を経由して受皿１０８に払い出される。予備箱１１３は、ホッパー１１２の横に位置するように、遊技機骨格構造体１０１の底部の上に置かれ、ホッパー１１２に補給するメダルを予備的に入れておくものである。前扉１０３の裏面には、メダル選別機機構１１７およびメダル返却樋１１８が設けられる。メダル選別機機構１１７は、操作台１０７のメダル投入部から投入されたメダルをメダルの直径で正常か異常かを選別し、直径の正常なメダルだけをホッパー１１２に流下して落下させ、正常のものより直径の大きなメダルをホッパー１１２の側に流下しないようにひっかけて留置し、正常のものより直径の小さなメダルをホッパー１１２の側に流下しないようメダル返却樋１１８に落下させるものである。メダル返却樋１１８は、メダル選別機機構１１７から異常なメダルとして落下したメダルを受け取って受皿１０８に排出する。メダル返却樋１１８の裏面には受口１１６が設けられる。遊技制御ユニット１１４は、図柄表示装置１０９よりも上部に位置するように遊技機骨格構造体１０１の背壁１１９に設けられる。
【００２５】
図９を参照し、遊技制御ユニット１１４の構造、遊技制御ユニット１１４の遊技機骨格構造体１０１への取付構造について説明する。遊技制御ユニット１１４は、遊技制御装置１２１と制御取付構造体１２２とからなる複合体である。遊技制御装置１２１は、遊技制御に必要な電気部品の実装された回路基板が制御筐体１２４に格納された後、封印機構１２５によって制御筐体１２４が封印され、回路基板に実装された電気部品における入力側のコネクタ１２６および出力側の複数のコネクタ１２７が制御筐体１２４に形成された開口部１２８；１２９を経由して制御筐体１２４の内部から外部に配置された、構造である。制御筐体１２４は、制御筐体１２４の外部から内部を視認し得る合成樹脂により、開閉可能に構成される。封印機構１２５は、人が制御筐体１２４を開閉するために操作すると、当該開閉のために操作した痕跡の残る構造に形成される。制御筐体１２４の一側面には、係合部を構成する係合突起１３０；１３１が、左右に離れた位置から突出する。最良の形態では、制御筐体１２４の前面を前側から見た態様において、コネクタ１２６が左側に位置し、コネクタ１２７が下側で左右方向に一列に位置し、係合突起１３０；１３１の設けられた一側面が上側に位置する。
【００２６】
制御取付構造体１２２は、遊技制御装置１２１を遊技機骨格構造体１０１に取り付けるための部材であって、金属により、構造基盤１３５、係合支片部１３６、弾性ストッパ片１３７、証紙台１３８、弾性支持片１３９、取付部１４０、位置決め部１４１を備えた、一体の形状に形成された構造である。構造基盤１３５は、制御筐体１２４の裏面より大きな横長な方形である。係合支片部１３６と弾性ストッパ片１３７および証紙台１３８は、構造基盤１３５の一縁部に設けられる。弾性支持片１３９は、構造基盤１３５の他縁部に設けられる。最良の形態では、構造基盤１３５の前面が制御筐体１２４の裏面と向かい合わされた場合において、係合支片部１３６と弾性ストッパ片１３７および証紙台１３８が構造基盤１３５の上縁部に設けられ、弾性支持片１３９が構造基盤１３５の下縁部に設けられる。
【００２７】
係合支片部１３６は、構造基盤１３５の上縁部の右側に位置し、構造基盤１３５の上縁部から制御筐体１２４と向き合う方向としての前側に直角に突出する。係合支片部１３６には、係合部を構成する係合溝１３６ａが、係合支片部１３６の表面と裏面および左端部とに貫通し、係合支片部１３６の左端部から右側に伸びる細長い形状に形成される。弾性ストッパ片１３７は、構造基盤１３５の上縁部の左側に位置し、構造基盤１３５の上縁部から前側に直角に突出したストッパ取付部１４２に結合される。弾性ストッパ片１３７のストッパ取付部１４２から右側に突出する先端部には、ストッパ突起１４３が設けられる。弾性支持片１３９は、構造基盤１３５の下縁部から前側に直角に折り曲げられた下側片１４４の左側および右側から前側に直線的に突出する。弾性支持片１３９の前側に位置する先端部には、受止部１４５が上方に向けて突出する。取付部１４０は、構造基盤１３５の左端部および右端部に設けられる。取付部１４０には、ねじ挿入孔１４６が上下に形成される。位置決め部１４１は、取付部１４０の一端部から遊技機骨格構造体１０１の背壁１１９の側である後側に突出した突起として、左側の取付部１４０に設けられる。
【００２８】
制御筐体１２４の裏面と構造基盤１３５の前面とが互いに向かい合わされ、制御筐体１２４の係合突起１３０が遊技機骨格構造体１０１の係合支片部１３６よりも左側に位置をずらし、制御筐体１２４の係合突起１３１が遊技機骨格構造体１０１のストッパ突起１４３よりも左側に位置をずらし、係合突起１３０；１３１が上側となるように、制御筐体１２４が構造基盤１３５の側に近づけられ、制御筐体１２４における係合突起１３０；１３１の設けられていない側に位置する下側面が受止部１４５の上を越えて受止部１４５と構造基盤１３５との間に上方から挿入されて遊技機骨格構造体１０１の下側片１４４の上に搭載される。このように制御筐体１２４の下側面が受止部１４５と構造基盤１３５との間に上方から挿入される場合、制御筐体１２４の前面が受止部１４５を裏側から前側に押して、受止部１４５が弾性支持片１３９との連接部を中心として前側に撓み、その反作用として、受止部１４５が制御筐体１２４の裏面を構造基盤１３５の前面に押し付ける。つまり、制御筐体１２４の下縁部が受止部１４５と構造基盤１３５とで弾性的に支持する。
【００２９】
このように制御筐体１２４の裏面と構造基盤１３５の前面とが互いに接触させられた後、制御筐体１２４が右側に移動させられるのに伴い、係合突起１３０が係合溝１３６ａに嵌め合わされ、係合突起１３１がストッパ突起１４３に左側から衝突して上方に押し、弾性ストッパ片１３７がストッパ取付部１４２との結合部を中心として上方に撓んだ後、係合突起１３１がストッパ突起１４３を右側に超えるのに伴い、弾性ストッパ片１３７がストッパ取付部１４２との結合部を中心として下方に弾性的に復元し、ストッパ突起１４３が係合突起１３１よりも制御筐体１２４の上側面の側に突出する。これによって、制御筐体１２４と遊技機骨格構造体１０１とが互いに組み合わせられて遊技制御ユニット１１４となる。このように遊技制御装置１２１が遊技機骨格構造体１０１に取り付けられ、遊技機骨格構造体１０１が動かないように支持された状態において、遊技制御装置１２１が左側に移動された場合、係合突起１３１がストッパ突起１４３に右側から衝突するので、ストッパ突起１４３に右側から衝突した係合突起１３１が弾性ストッパ片１３７をストッパ取付部１４２との結合部を中心して上方に撓ませる以上の力で上記遊技制御装置１２１を左側に移動しない限り、遊技制御装置１２１が遊技機骨格構造体１０１から取り外されない。このように組み立てられた遊技制御ユニット１１４においては、制御筐体１２４の前面と証紙台１３８の前面とが互いに同一面に位置し、図外の検査に合格した正規の遊技制御ユニット１１４であることを証明する図外の証紙が制御筐体１２４の前面と証紙台１３８の前面とにわたって粘着材で貼り付けられる。粘着材は、証紙の裏面に予め付設されている。
【００３０】
このように組み立てられた遊技制御ユニット１１４が遊技機骨格構造体１０１に取り付けられるには、構造基盤１３５の裏面と背壁１１９の前面とが互いに向かい合わされ、遊技制御ユニット１１４が遊技機骨格構造体１０１の前側から内部に挿入され、遊技制御ユニット１１４の位置決め部１４１が背壁１１９に位置決め部として設けられた位置決め孔１５１に挿入され、遊技制御ユニット１１４が水平となるように支持され、４本の木ねじからなる固着具１５２が遊技機骨格構造体１０１の前側から取付部１４０のねじ挿入孔１４６を経由して背壁１１９に締結されることによって、遊技制御ユニット１１４が背壁１１９の前面に取り付けられる。４本の木ねじからなる固着具１５２が遊技機骨格構造体１０１の前側から取り外されることによって、遊技制御ユニット１１４が背壁１１９から取り外されて図１に示す外箱１と仕切構造体１１とからなる遊技制御梱包装置に収容される。
【００３１】
図１０を参照し、遊技制御ユニット１１４を遊技制御梱包装置で梱包する場合について説明する。図１０のａ図に示すように、遊技制御ユニット１１４が収容室１２に入れられる。この場合、遊技制御ユニット１１４における位置決め部１４１の設けられていない側が下側となり、構造基盤１３５の裏面が縦片６１の内面と向かい合うように、遊技制御ユニット１１４が収容室１２に入れられ、構造基盤１３５の挿入方向の下側に位置する取付部１４０が仕切構造体１１の背片６２の上に搭載され、遊技制御ユニット１１４を挿入するために支持していた力が遊技制御ユニット１１４から解除されると、遊技制御ユニット１１４は取付部１４０と背片６２との接触点を中心として片側に傾き、遊技制御装置１２１の前面上部が縦片６３の内面に接触して受け止められる。つまり、遊技制御ユニット１１４が収容室１２に入れられた場合、位置決め部１４１が位置決め用溝６８から離れる方向に、遊技制御ユニット１１４が片側に傾き、遊技制御ユニット１１４の荷重が縦片６３の方向に掛かるようになっている。
【００３２】
その後、図１０のｂ図およびｃ図に示すように、構造基盤１３５の裏面が縦片６１の内面に近づく方向に、人が遊技制御ユニット１１４の傾きを直すとともに仕切構造体１１の一対の支持片４７；５０を互いに向き合う方向である遊技制御ユニット１１４の側の内側に折り曲げる。これに伴い、遊技制御ユニット１１４の位置決め部１４１が位置決め用溝６８に嵌め合わされ、支持片４７；５０の先端部が遊技制御装置１２１を縦片６１の側に押すように遊技制御装置１２１の前面に接触しつつ上部に折れ曲がって折曲部ａを形成する。これによって、制御取付構造体１２２の裏面が収容室１２を縦片６１の内面に押し付けられ、折曲部ａを含む支持片４７；５０が遊技制御ユニット１１４と縦片６３とを互いに反対方向に突っ張り、前記遊技制御ユニット１１４の縦片６１から離れる方向への傾きによる荷重が折曲部ａを含む支持片４７；５０に加わる。この結果、遊技制御ユニット１１４が収容室１２に移動しないように固定された状態で格納される。このようにして、６個の遊技制御ユニット１１４が６個の収容室１２に移動しないように固定された状態で個別に格納された後、図１における外箱１の４つの蓋片４；５；６；７が閉じられて紙製または布製の粘着テープのような図外の封緘具で封緘される。１個以上６個未満の遊技制御ユニット１１４が６個の収容室１２のいずれかに移動しないように固定された状態で個別に格納された後、外箱１の閉じられた４つの蓋片４；５；６；７を図外の封緘具で封緘してもよい。
【００３３】
最良の形態によれば、複数の第１仕切要素１５と複数の第２仕切要素６０とが井桁状に組み合わせられて仕切構造体１１を構成し、この仕切構造体１１における複数の収容室１２のそれぞれ複数の遊技制御ユニット１１４を移動しないように固定して格納された構造であるので、遊技制御ユニット１１４を収納した仕切構造体１１および外箱１からなる遊技制御梱包装置がトラックの荷台に搭載されて運搬された場合においても、運搬中の振動によって、遊技制御ユニット１１４が仕切構造体１１や外箱１に衝突するような不都合が解消されるという利点がある。１個の外箱１が６個の遊技制御ユニット１１４を格納する大きさで、１個の外箱１が作業者で持ち運びやすい大きさであるので、作業者が遊技制御梱包装置をトラックの荷台に積み込む作業が容易であるという利点がある。遊技制御ユニット１１４が収容室１２に移動しないように固定するための要素の１つに、遊技制御ユニット１１４を背壁１１９に位置決めするための位置決め部１４１が仕切構造体１１の位置決め用溝６８に嵌め合わされているので、遊技制御ユニット１１４を収容室１２に移動しないように固定するための新たな要素の遊技制御ユニット１１４に設ける必要がないという利点がある。組立用溝６４乃至６７における背片６２の部分の直交方向Ｙの幅が組立用溝６４乃至６７における縦片６１；６３の部分の直交方向Ｙの幅よりも広くなっているので、第１仕切要素１５と第２仕切要素６０とを井桁状に組み合わせる作業が容易になるという利点がある。
【産業上の利用可能性】
【００３４】
図１１は、異なる第１形態である。図１１のａ図は、第１仕切要素１５を展開した形態を示す。図１１のｂ図は、第１仕切要素１５を折り曲げた立体的な形態を示す。この第１形態は、一対の緩衝空間用片４２；４６の外側に、組立用溝８６；８７；８８；８９、収容室用片９０；９１、緩衝空間用片９２；９３、支持片９４；９５、折線９６；９７を増加した構造である。よって、図１１のｂ図に示す第１仕切要素１５を２個使用し、図３のｂ図およびｃ図に示す第２仕切要素６０を４個使用し、これら２個の第１仕切要素１５と４個の第２仕切要素６０とが井桁状に組み合わせられることによって、８個の収容室１２を備えた仕切構造体１１が得られる。この８個の収容室１２を備えた仕切構造体１１は、図５に示す外箱１よりも平面的な面積の大きな外箱１に入れられることによって、最良な形態に類似する遊技制御梱包装置が得られる。第１形態の仕切構造体１１は、１個の第１仕切要素１５と複数の第２仕切要素６０とが井桁状に組み合わせられる構造である。
【００３５】
図１２は、異なる第２形態である。図１２のａ図は、第１仕切要素１５と第２仕切要素６０からなる仕切構造体１１を分解して示す。図１２のｂ図は、外箱１の蓋片４乃至７の開けられた遊技制御梱包装置の平面を示す。この第２形態は、図１２のａ図に示すように、第１仕切要素１５が、縦片１６；１８、背片１７、組立用溝１９；２０；２５；２６、収容室用片３３；３６、緩衝空間用片３９；４０；４３；４４、支持片４７；５０、折線５３；５６を備え、第２仕切要素６０が、縦片６１；６３、背片６２、組立用溝６４；６５、位置決め用溝６８、収容室用片７２；７４、緩衝空間用片７６；７７；７９；８０を備える。そして、１個の第１仕切要素１５と１個の第２仕切要素６０とが井桁状に組み合わせられることによって、１つの収容室１２を備えた仕切構造体１１が構成される。図１２のｂ図に示すように、１個の第１仕切要素１５と１個の第２仕切要素６０とからなる仕切構造体１１が、図５に示すよりも平面的な面積の小さな外箱１に入れられることによって、１つの収容室１２の平面的な周囲が網がけを施した８個の緩衝空間１３で囲まれた最良な形態に類似する遊技制御梱包装置が得られる。第２形態の仕切構造体１１は、１個の第１仕切要素１５と１個の第２仕切要素６０とが井桁状に組み合わせられた構造である。
【００３６】
図１１に示す第１仕切要素１５を１個使用し、図１２のａ図に示す第２仕切要素６０を４個使用し、これら１個の第１仕切要素１５と４個の第２仕切要素６０とが井桁状に組み合わせられることによって、４個の収容室１２を備えた仕切構造体１１を構成することも可能である。この場合の仕切構造体１１は、１個の第１仕切要素１５と複数の第２仕切要素６０とが井桁状に組み合わせられた構造である。
【００３７】
図１３は、異なる第３形態である。図１３のａ図は、第１仕切要素１５と第２仕切要素６０を分解して示す。図１３のｂ図は、遊技制御梱包装置の平面を示す。この第３形態は、図１３のａ図に示すように、第１仕切要素１５が、縦片１６；１８、背片１７、組立用溝１９；２０；２５；２６、収容室用片３３；３６、緩衝空間用片３９；４０；４３；４４、支持片４７；５０、折線５３；５６を備え、第２仕切要素６０が、縦片６１；６３、背片６２、組立用溝６４；６５；６６；６７、位置決め用溝６８；６９、収容室用片７２；７３；７４；７５、緩衝空間用片７６；７７；７８；７９；８０；８１を備える。そして、２個の第１仕切要素１５と１個の第２仕切要素６０とが井桁状に組み合わせられることによって、２つの収容室１２を備えた仕切構造体１１が構成される。図１３のｂ図に示すように、２個の第１仕切要素１５と１個の第２仕切要素６０とからなる仕切構造体１１が、図５に示すよりも平面的な面積の小さな外箱１に入れられることによって、２つの収容室１２の平面的な周囲が網がけを施した１３個の緩衝空間１３で個別に囲まれた最良な形態に類似する遊技制御梱包装置が得られる。第３形態の仕切構造体１１は、複数の第１仕切要素１５と１個の第２仕切要素６０とが井桁状に組み合わせられた構造である。
【００３８】
図１４は、異なる第４形態である。図１４のａ図は、第１仕切要素１５と第２仕切要素６０を分解して示す。図１４のｂ図は、遊技制御梱包装置の平面を示す。この異なる第４形態は、図１４のａ図に示すように、第１仕切要素１５が、縦片１６；１８、背片１７、組立用溝１９；２０；２１；２２；２５；２６；２７；２８、収容室用片３３；３４；３６；３７、緩衝空間用片３９；４０；４１；４３；４４；４５、支持片４７；４８；５０；５１、折線５３；５４；５６；５７を備え、第２仕切要素６０が、縦片６１；６３、背片６２、組立用溝６４；６５、位置決め用溝６８、収容室用片７２；７４、緩衝空間用片７６；７７；７９；８０を備える。そして、１個の第１仕切要素１５と２個の第２仕切要素６０とが井桁状に組み合わせられることによって、２つの収容室１２を備えた仕切構造体１１が構成される。図１４のｂ図に示すように、１個の第１仕切要素１５と２個の第２仕切要素６０とからなる仕切構造体１１が、図５に示すよりも平面的な面積の小さな外箱１に入れられることによって、２つの収容室１２の平面的な周囲が網がけを施した１３個の緩衝空間１３で個別に囲まれた最良な形態に類似する遊技制御梱包装置が得られる。第４形態の仕切構造体１１は、１個の第１仕切要素１５と複数の第２仕切要素６０とが井桁状に組み合わせられた構造である。
【００３９】
図１３のａ図に示す第２仕切要素６０を２個使用し、図１４のａ図に示す第１仕切要素１５を２個使用し、これら２個の第１仕切要素１５と２個の第２仕切要素６０とが井桁状に組み合わせられることによって、４個の収容室１２を備えた仕切構造体１１を構成することも可能である。この場合の仕切構造体１１は、複数の第１仕切要素１５と複数の第２仕切要素６０とが井桁状に組み合わせられた構造である。
【００４０】
１個の仕切構造体１１に形成される収容室１２の個数は、上記以上であってもよいが、１個の外箱１に仕切構造体１１および遊技制御ユニット１１４を収容した状態において、人が外箱１を容易かつ安全に持ち上げれることが可能な重量の範囲に設置するのが好ましい。
【図面の簡単な説明】
【００４１】
【図１】遊技制御梱包装置の分解斜視図（最良の形態）。
【図２】ａ図は第１仕切要素の展開図、ｂ図は第１仕切要素の立体斜視図（最良の形態）。
【図３】ａ図は第２仕切要素の展開図、ｂ図は第２仕切要素の立体斜視図（最良の形態）。
【図４】仕切構造体の分解斜視図（最良の形態）。
【図５】外箱の蓋の開けられた遊技制御梱包装置の平面図（最良の形態）。
【図６】図５のＡ−Ａ線断面図（最良の形態）。
【図７】図５のＢ−Ｂ線断面図（最良の形態）。
【図８】スロットマシンの斜視図（最良の形態）。
【図９】遊技制御ユニットの分解斜視図（最良の形態）。
【図１０】ａ図は遊技制御ユニットを収容室に挿入した側面図。ｂ図は遊技制御ユニットを収容室に固定した側面図、ｃ図は遊技制御ユニットを収容室に固定した平面図（最良の形態）。
【図１１】ａ図は第１仕切要素の展開図、ｂ図は第１仕切要素の立体斜視図（第１形態）。
【図１２】ａ図は仕切構造体の分解斜視図、ｂ図は外箱の蓋の開けられた遊技制御梱包装置の平面図（第２形態）。
【図１３】ａ図は仕切構造体の分解斜視図、ｂ図は外箱の蓋の開けられた遊技制御梱包装置の平面図（第３形態）。
【図１４】ａ図は仕切構造体の分解斜視図、ｂ図は外箱の蓋の開けられた遊技制御梱包装置の平面図（第４形態）。
【符号の説明】
【００４２】
１  外箱
１１  仕切構造体
１２  収容室
１３  緩衝空間
１４  支持片
１５  第１仕切要素
１６；１８    縦片
１７    背片
１９乃至３０  組立用溝
３９乃至４６  緩衝空間用片
３３乃至３８  収容室用片
４７乃至５２  支持片
６０    第２仕切要素
６１；６３  縦片
６２  背片
６４乃至６７  組立用溝
８４；８５  突起
１１４  遊技制御ユニット
【図１】
2007001592.tif 000003
【図２】
2007001592.tif 000004
【図３】
2007001592.tif 000005
【図４】
2007001592.tif 000006
【図５】
2007001592.tif 000007
【図６】
2007001592.tif 000008
【図７】
2007001592.tif 000009
【図８】
2007001592.tif 000010
【図９】
2007001592.tif 000011
【図１０】
2007001592.tif 000012
【図１１】
2007001592.tif 000013
【図１２】
2007001592.tif 000014
【図１３】
2007001592.tif 000015
【図１４】
2007001592.tif 000016